(57)【要約】【課題】ユーザーのニーズに応じた穿孔処理を行うことができる後処理装置を提供する。【解決手段】後処理装置は、用紙搬送部と、第一の駆動部と、穿孔部材と、第二の駆動部と、駆動モード設定部と、調整部とを備える。第一の駆動部は、用紙搬送部を駆動させる。穿孔部材は、用紙搬送部により搬送された用紙に後処理としての穿孔処理を行う。第二の駆動部は、第一の駆動部と別途設けられており、穿孔部材を駆動させる。駆動モード設定部５２は、第一および第二の駆動部の駆動モードを設定する。調整部５３は、駆動モード設定部５２により設定された駆動モードに応じて、第一および第二の駆動部をそれぞれ駆動させるよう調整する。【選択図】図３
2017019594.tif 000002
【特許請求の範囲】
【請求項１】
用紙を搬送する用紙搬送部と、
前記用紙搬送部を駆動させる第一の駆動部と、
前記用紙搬送部により搬送された前記用紙に後処理としての穿孔処理を行う穿孔部材と、
前記第一の駆動部と別途設けられており、前記穿孔部材を駆動させる第二の駆動部と、
前記第一および前記第二の駆動部の駆動モードを設定する駆動モード設定部と、
前記駆動モード設定部により設定された前記駆動モードに応じて、前記第一および前記第二の駆動部をそれぞれ駆動させるよう調整する調整部とを備える、後処理装置。
【請求項２】
前記駆動モードは、前記第一の駆動部と前記第二の駆動部とを同時に駆動させる第一の駆動モードと、前記第一の駆動部と前記第二の駆動部とを同時に駆動させない第二の駆動モードとを含む、請求項１に記載の後処理装置。
【請求項３】
前記駆動モード設定部は、前記用紙搬送部によって搬送される前記用紙の間隔、および前記穿孔部材により穿孔される穿孔パターンのうちの少なくともいずれかに応じて、前記駆動モードを設定する、請求項１または２に記載の後処理装置。
【請求項４】
前記駆動モードの入力を受け付ける受け付け部を備え、
前記駆動モード設定部は、前記駆動モードを前記受け付け部により受け付けられた前記駆動モードに設定する、請求項１〜３のいずれか１項に記載の後処理装置。
【請求項５】
前記第一および第二の駆動部のうちの少なくともいずれか一方は、ステッピングモーターを含む、請求項１〜４のいずれか１項に記載の後処理装置。
【請求項６】
用紙に画像を形成する画像形成部と、前記画像形成部により画像を形成した前記用紙に穿孔処理を行う請求項１〜５のいずれか１項に記載の後処理装置とを備える、画像形成装置。
【請求項７】
前記画像形成装置は、駆動中に所定の振動音以下となるよう設定する静音モードを備え、
前記駆動モード設定部は、前記画像形成装置が前記静音モードに設定されていれば、前記第二の駆動モードに設定する、請求項６に記載の画像形成装置。
【発明の詳細な説明】
【技術分野】
【０００１】
この発明は、後処理装置、および画像形成装置に関するものである。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に現像剤を供給して可視画像とした後、用紙に転写して定着させ、装置外に排出する。
【０００３】
画像形成装置には、後処理の一環として、複数の用紙を揃えて端部に穴を開ける穿孔機構を備えるものがある。穿孔機構を備える後処理装置が、特開２００５−２０６３７４号公報（特許文献１）、および特開平１１−２５５４１６号公報（特許文献２）に開示されている。
【先行技術文献】
【特許文献】
【０００４】
【特許文献１】特開２００５−２０６３７４号公報
【特許文献２】特開平１１−２５５４１６号公報
【発明の概要】
【発明が解決しようとする課題】
【０００５】
用紙を搬送しながら穿孔機構による穿孔処理を行う場合、装置の動作音が大きくなってしまう場合がある。通常のユーザーにとっては、できるだけ静音で処理を行うことが好ましい。この場合、穿孔処理に要する時間を長くすれば、一般的には静音化を図ることができる。しかし、ユーザーが穿孔処理を早く終わらせることを望んだ場合に対応することができない。すなわち、ユーザーのニーズに応じることができないこととなる。上記した特許文献１、および特許文献２に開示の技術では、対応することができない。
【０００６】
この発明の目的は、ユーザーのニーズに応じた穿孔処理を行うことができる後処理装置を提供することである。
【０００７】
この発明の他の目的は、ユーザーのニーズに応じた穿孔処理を行うことができる画像形成装置を提供することである。
【課題を解決するための手段】
【０００８】
この発明の一の局面においては、後処理装置は、用紙搬送部と、第一の駆動部と、穿孔部材と、第二の駆動部と、駆動モード設定部と、調整部とを備える。用紙搬送部は、用紙を搬送する。第一の駆動部は、用紙搬送部を駆動させる。穿孔部材は、用紙搬送部により搬送された用紙に後処理としての穿孔処理を行う。第二の駆動部は、第一の駆動部と別途設けられており、穿孔部材を駆動させる。駆動モード設定部は、第一および第二の駆動部の駆動モードを設定する。調整部と、駆動モード設定部により設定された駆動モードに応じて、第一および第二の駆動部をそれぞれ駆動させるよう調整する。
【０００９】
この発明の他の局面においては、画像形成装置は、用紙に画像を形成する画像形成部と、画像形成部により画像を形成した用紙に穿孔処理を行う上記した後処理装置とを備える。
【発明の効果】
【００１０】
このような後処理装置によると、駆動モード設定部により設定された駆動モードに応じて、第一および第二の駆動部をそれぞれ駆動させるよう調整して穿孔処理を行う。そうすると、ユーザーのニーズに応じた穿孔処理を行うことができる。
【００１１】
また、このような画像形成装置によると、画像形成部より画像を形成した用紙に対して、ユーザーのニーズに応じた穿孔処理を行うことができる。
【図面の簡単な説明】
【００１２】
【図１】この発明の一実施形態に係る後処理装置を含む画像形成装置を複合機に適用した場合の複合機の外観を示す図である。
【図２】図１に示す複合機の構成を示すブロック図である。
【図３】制御部の構成を示すブロック図である。
【図４】操作部の構成を示す図である。
【図５】後処理装置に含まれる穿孔機構の構成を示す図である。
【図６】用紙に穿孔を行う場合の処理の流れを示すフローチャートである。
【図７】表示画面の一例を示す図である。
【図８】表示画面の一例を示す図である。
【発明を実施するための形態】
【００１３】
以下、この発明の実施の形態を説明する。図１は、この発明の一実施形態に係る後処理装置を含む画像形成装置を複合機に適用した場合の複合機の外観を示す図である。図２は、図１に示す複合機の構成を示すブロック図である。
【００１４】
図１〜図２を参照して、複合機１１は、制御部１２と、操作部１３と、画像読み取り部１４と、画像形成部１５と、後処理装置４１と、データを記憶する記憶部としてのハードディスク１６と、ファクシミリ通信部１７と、ネットワーク２５と接続するためのネットワークインターフェース部１８とを備える。
【００１５】
制御部１２は、複合機１１全体の制御を行う。操作部１３は、複合機１１側から発信する情報やユーザーの入力内容を表示する表示画面２１を含む。操作部１３は、印刷部数や階調等の画像形成の条件や電源のオンまたはオフを入力させる。画像読み取り部１４は、セットされた原稿を自動的に読み取り位置へ搬送する自動原稿搬送装置（ＡＤＦ（Ａｕｔｏ  Ｄｏｃｕｍｅｎｔ  Ｆｅｅｄｅｒ））２２を含む。画像読み取り部１４は、ＡＤＦ２２によって搬送された原稿の画像や不図示の載置台上に載置された原稿の画像を読み取る。用紙セット部１９は、手差しで記録媒体としての用紙Ｐをセットする手差しトレイ２８やサイズの異なる複数枚の用紙Ｐを収納可能な給紙カセット群２９を含む。用紙セット部１９は、画像形成部１５に供給する用紙Ｐ（図５参照）がセットされる。画像形成部１５は、読み取った画像やネットワーク２５を介して送信された画像データを基に用紙Ｐに画像を形成する。画像形成部１５により画像を形成された用紙Ｐは、必要に応じて後処理装置４１によって後処理を施された後、後処理装置４１の排出トレイ３０に排出される。後処理装置４１は、画像形成部１５により画像を形成された用紙Ｐに穿孔処理を行う穿孔機構４２を含む。ハードディスク１６は、送信された画像データや入力された画像形成条件等の格納を行う。ファクシミリ通信部１７は、公衆回線２４に接続されており、ファクシミリ送信やファクシミリ受信を行う。
【００１６】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）等を備えるが、これらについては、図示および説明を省略する。また、図２中の矢印は、制御信号や制御、画像に関するデータの流れを示している。なお、図１に示すように、この実施形態においては、給紙カセット群２９は、３つの給紙カセット２３ａ、２３ｂ、２３ｃから構成されている。
【００１７】
複合機１１は、画像読み取り部１４により読み取られた原稿の画像データを用いて画像形成部１５において画像を形成し、用紙Ｐに印刷することにより、複写機として作動する。また、複合機１１は、ネットワークインターフェース部１８を通じて、ネットワーク２５に接続されたコンピューター２６ａ、２６ｂ、２６ｃのいずれかから送信された画像データを用いて、画像形成部１５において画像を形成し、用紙Ｐに印刷することにより、プリンターとして作動する。すなわち、画像形成部１５は、要求された画像を印刷する印刷部として作動する。また、複合機１１は、ファクシミリ通信部１７を通じて、公衆回線２４から送信された画像データを用いて、ＤＲＡＭを介して画像形成部１５において画像を形成することにより、また、画像読み取り部１４により読み取られた原稿の画像データを、ファクシミリ通信部１７を通じて公衆回線２４に画像データを送信することにより、ファクシミリ装置として作動する。すなわち、複合機１１は、画像処理に関し、複写機能、プリンター機能、ファクシミリ機能等、複数の機能を有する。さらに、各機能に対しても、詳細に設定可能な機能を有する。
【００１８】
複合機１１を含む画像形成システム２７は、複合機１１と、複数のコンピューター２６ａ、２６ｂ、２６ｃとを備える。具体的には、画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して印刷要求を行って印刷をすることができる。
【００１９】
次に、制御部１２の構成について説明する。図３は、制御部１２の構成を示すブロック図である。図３を参照して、制御部１２は、受け付け部５１と、駆動モード設定部５２と、調整部５３とを含む。
【００２０】
受け付け部５１は、後述する駆動モードの入力を受け付ける。駆動モード設定部５２は、いずれも後述する第一の駆動部４４および第二の駆動部４６の駆動モードを設定する。調整部５３は、駆動モード設定部５２により設定された駆動モードに応じて、第一および第二の駆動部４４、４６をそれぞれ駆動させるよう調整する。
【００２１】
次に、上記した操作部１３の構成について、さらに詳細に説明する。図４は、操作部１３の構成を示す外観図である。図４を参照して、操作部１３は、印刷部数等を入力させるための０〜９までの数字、および「＊」や「＃」の記号を入力させるテンキー３１と、印刷の開始やファクシミリ送信の開始を指示させるスタートキー３２と、複合機１１の電源のオンまたはオフを入力させる電源キー３３と、複合機１１の有するプリンター機能やコピー機能等の選択を指示させるメニューキー３４と、種々の画像形成の条件や使用ユーザーの登録を指示させる登録キー３５と、テンキー３１等を用いてユーザーにより入力された指示の内容をキャンセルさせるリセットキー３６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。
【００２２】
複合機１１は、画像が形成された用紙Ｐに製本処理やステープル処理といった後処理を施す後処理装置４１を備える。後処理装置４１は、図示しない製本機構やステープル機構に加え、用紙Ｐの所定の箇所に穿孔処理、すなわち、穴を開ける穿孔機構４２を含む。後処理装置４１は、穿孔機構４２により、用紙Ｐに対して、いわゆるパンチ処理を行うことができる。穿孔機構４２を利用する際には、ユーザーは、操作部１３の表示画面２１から穿孔機構４２を利用する旨の入力を行う。
【００２３】
図５は、後処理装置４１に含まれる穿孔機構４２の構成を示す図である。図１〜図５を参照して、穿孔機構４２は、用紙搬送部４３と、第一の駆動部４４と、穿孔部材４５と、第二の駆動部４６とを備える。なお、後処理装置４１に備えられる制御部は、複合機１１に備えられる制御部１２によって兼用されている。すなわち、後処理装置４１に含まれる穿孔機構４２の動作は、制御部１２によって制御されている。
【００２４】
用紙搬送部４３は、後処理装置４１内において、画像形成部１５により画像が形成された用紙Ｐを、穿孔部材４５が設けられている位置に搬送する。そして、用紙搬送部４３は、穿孔部材４５による穿孔処理の後、排出トレイ３０まで用紙Ｐを搬送する。なお、複合機１１内においても、画像を形成する用紙Ｐを搬送する不図示の用紙搬送部が設けられている。用紙搬送部４３は、例えば、Ａ４サイズの用紙を縦方向にも横方向にも搬送することができる。図５中においては、Ａ４サイズの用紙Ｐを縦方向に搬送している。なお、用紙Ｐは、図５中の矢印Ｄ１で示す方向に搬送される。
【００２５】
第一の駆動部４４は、用紙搬送部４３における用紙Ｐの搬送の際に駆動する。第一の駆動部４４は、例えば、ステッピングモーターを含む。
【００２６】
穿孔部材４５は、端部検知センサー４７と、穿孔刃４８と、支持部４９とを含む。支持部４９は、棒状であり、長手方向が用紙Ｐの搬送方向と垂直な方向に延びるように設けられている。支持部４９は、図５中の矢印Ｄ２またはその逆の方向に移動可能である。
【００２７】
端部検知センサー４７および穿孔刃４８は、支持部４９に取り付けられている。端部検知センサー４７は、支持部４９のうち、用紙Ｐと対向する位置に設けられている。端部検知センサー４７は、用紙Ｐの端部、具体的には、用紙Ｐの搬送方向と垂直な方向の端部を検知する。この場合、図５中の矢印Ｄ２またはその逆の方向における用紙Ｐの端部を検知する。端部検知センサー４７としては、例えば、光学センサーが利用される。端部検知センサー４７は、図５中の矢印Ｄ２またはその逆の方向への支持部４９の移動に伴って移動する。ここで、端部検知センサー４７は、搬送される用紙Ｐが位置する側に光を照射する。端部検知センサー４７は、用紙Ｐ側から反射される反射光量に応じて、用紙Ｐの端部の位置を検知する。
【００２８】
穿孔刃４８は、端部検知センサー４７が設けられた位置よりも用紙Ｐが配置される側に設けられる。すなわち、端部検知センサー４７が用紙Ｐの端部を検知した際に、穿孔刃４８の下側には、用紙Ｐが存在することとなる。穿孔刃４８は、外形形状が丸い刃で構成されている。穿孔刃４８は、図５中の矢印Ｄ３またはその逆の上下方向、すなわち、用紙Ｐの紙面表裏方向に移動可能である。穿孔刃４８は、穿孔する位置が決まった後、用紙Ｐ側に移動して、用紙Ｐの所定の箇所を穿孔する。穿孔した後、穿孔刃４８は、上方向に移動する。なお、穿孔処理の後に開口された開口穴３９は、丸状である。
【００２９】
第二の駆動部４６は、穿孔部材４５の動作の際に駆動する。すなわち、支持部４９の移動や穿孔刃４８による穿孔処理の際に駆動する。第二の駆動部４６についても、例えば、ステッピングモーターを含むものである。
【００３０】
なお、上記した第一の駆動部４４と第二の駆動部４６とは、別途設けられているものである。すなわち、第一の駆動部４４と第二の駆動部４６とは、制御部１２による制御により、それぞれ別個に駆動させたり、駆動を停止させたりすることができる。駆動モード設定部５２により設定される駆動モードは、第一の駆動部４４と第二の駆動部４６とを同時に駆動させる第一の駆動モードと、第一の駆動部４４と第二の駆動部４６とを同時に駆動させない第二の駆動モードとを含む。第一の駆動モードは、いわゆる高速モードと呼ばれるものである。第一の駆動モード下においては、ピーク時の動作音は比較的大きいが、処理に要する時間を短くすることができる。一方、第二の駆動モードは、いわゆる低速モードと呼ばれるものである。第二の駆動モード下においては、ピーク時の動作音は比較的小さくすることができるが、処理に要する時間が長くなる。
【００３１】
次に、この複合機１１を用いて用紙Ｐに穿孔を行う場合について説明する。図６は、用紙Ｐに穿孔を行う場合の処理の流れを示すフローチャートである。
【００３２】
まず、図１〜図６を参照して、ユーザーは、操作部１３の表示画面２１等を介して、画像形成部１５により画像を形成した用紙Ｐの穿孔を行う旨の要求を行う。そうすると、複合機１１は、用紙Ｐの穿孔の要求を受け付ける（図６において、ステップＳ１１、以下、「ステップ」を省略する）。
【００３３】
ここで、受け付け部５１は、ユーザーからの駆動モードの入力を受け付ける（Ｓ１２）。図７は、この場合の操作部１３の表示画面２１の一例を示す図である。
【００３４】
図７を参照して、表示画面２１には、「穿孔処理モードを選択してください。」とのメッセージ５６と、「高速モード」と表記され、押下により高速モードを設定させる選択キー５７ａと、「低速モード」と表記され、押下により低速モードを設定させる選択キー５７ｂとが示されている。
【００３５】
選択キー５７ａが押下されたことを検知すれば、すなわち、高速モードが選択されたことを検知すれば（Ｓ１３において、ＹＥＳ）、いわゆる高速モードで穿孔処理を行う。ここで、調整部５３は、駆動モード設定部５２により設定された高速モードに応じて、第一および第二の駆動部４４、４６をそれぞれ駆動させるよう調整する。具体的には、第一の駆動部４４を駆動させて用紙Ｐの搬送を開始すると共に、第二の駆動部４６を駆動させて支持部４９を移動させる（Ｓ１４）。そして、用紙Ｐを搬送しながら端部検知センサー４７により用紙Ｐの端部を検知して、穿孔位置を決定した後、穿孔刃４８を移動させて穿孔処理を行う（Ｓ１５）。この穿孔を行う際には、用紙Ｐの搬送は停止される。穿孔処理が終了した後、第一の駆動部４４を駆動させて排出トレイ３０まで用紙Ｐを搬送し、用紙Ｐを排出する（Ｓ１６）。この用紙Ｐの搬送時に、支持部４９をホームポジションまで移動させる。ホームポジションは、穿孔機構４２内において、支持部４９が配置される所定の位置である。このようにして用紙Ｐに対して、穿孔処理を行う。この場合、駆動中のピーク時の動作音は比較的大きくなるが、穿孔処理に要する時間は、比較的短くなる。
【００３６】
一方、選択キー５７ｂが押下されたことを検知すれば、すなわち、低速モードが選択されたことを検知すれば（Ｓ１３において、ＮＯ）、いわゆる低速モードで穿孔処理を行う。ここで、調整部５３は、駆動モード設定部５２により設定された低速モードに応じて、第一および第二の駆動部４４、４６をそれぞれ駆動させるよう調整する。具体的には、まず、第一の駆動部４４を駆動させて、用紙Ｐの搬送を開始する（Ｓ１７）。ここで、第二の駆動部４６は駆動させず、穿孔部材４５は、停止したままである。用紙Ｐが搬送された後、第一の駆動部４４を停止させて、用紙Ｐの搬送を停止させる（Ｓ１８）。次に、第二の駆動部４６を駆動させて、支持部４９を移動させる（Ｓ１９）。そして、端部検知センサー４７により用紙Ｐの端部を検知して、穿孔位置を決定した後、穿孔刃４８を移動させて穿孔処理を行う（Ｓ２０）。穿孔処理が終了した後、第一の駆動部４４を駆動させて用紙Ｐの搬送を再開する（Ｓ２１）。そして、排出トレイ３０まで用紙Ｐを搬送し、用紙Ｐを排出する（Ｓ２２）。その後、支持部４９をホームポジションまで移動させる（Ｓ２３）。このようにして、用紙Ｐに対する穿孔処理を行う。この場合、駆動中のピーク時の動作音は比較的小さくなるが、穿孔処理に要する時間は、比較的長くなる。
【００３７】
このような構成の複合機１１によると、駆動モード設定部５２により設定された駆動モードに応じて、第一および第二の駆動部４４、４６をそれぞれ駆動させるよう調整して穿孔処理を行う。そうすると、ユーザーのニーズに応じた穿孔処理を行うことができる。
【００３８】
この場合、表示画面２１を介して、受け付け部５１によりユーザーからの駆動モードの入力を受け付けているため、ユーザーの要求する駆動モードの入力を容易に行うことができる。
【００３９】
なお、上記の実施の形態において、駆動モード設定部５２は、受け付け部５１により受け付けられた駆動モードに応じて駆動モードを設定することとしたが、これに限らず、用紙搬送部４３によって搬送される用紙Ｐの間隔、および穿孔部材４５により穿孔される穿孔パターンのうちの少なくともいずれかに応じて、駆動モードを設定するよう構成してもよい。こうすることにより、より適切にユーザーのニーズに応じた穿孔処理を行うことができる。
【００４０】
例えば、後処理装置４１に搬送されてくる用紙Ｐの搬送間隔が長い場合、穿孔処理に時間をかけることができる。したがって、この場合、上記した低速モードで穿孔処理を行う。一方、用紙Ｐの搬送間隔が短い場合において、穿孔処理に時間をかけないことが要求される場合には、上記した高速モードで穿孔処理を行う。また、穿孔される穿孔パターンにおいて、用紙Ｐ１枚当たりの穿孔すべき孔の数が少なければ、穿孔処理に時間を要しない。したがって、低速モードで穿孔処理を行うことにより、穿孔処理に時間を要せず、駆動中のピーク時の動作音を比較的小さくすることができる。また、用紙Ｐ１枚当たりの穿孔すべき孔の数が多ければ、高速モードを設定することにより、穿孔処理に要する時間を短縮することができる。
【００４１】
図８は、行っている駆動モードを表示した表示画面２１の一例を示す図である。図８を参照して、表示画面２１には、「現在、低速モードで駆動しています。高速モードは、利用できません。」とのメッセージ５９が表示されている。この場合、例えば、高速モードとしても、用紙Ｐの搬送の間隔が長いため、結果として、穿孔処理に要する時間を短くすることはできない。ユーザーは、このメッセージ５９により、その旨を把握することができる。
【００４２】
なお、上記の実施の形態において、複合機１１は、駆動中に所定の振動音以下となるよう設定する静音モードを備える構成とし、駆動モード設定部５２は、複合機１１が静音モードに設定されていれば、第二の駆動モードに設定するよう構成してもよい。すなわち、複合機１１が静音モードに設定されていれば、後処理装置４１における駆動モード設定部５２は、駆動モードを低速モードに設定する。こうすることにより、複合機１１に設定された静音モードに近い駆動モードで穿孔処理を行うことができる。
【００４３】
また、上記の実施の形態においては、第一の駆動部４４および第二の駆動部４６の双方が、ステッピングモーターを含むこととしたが、これに限らず、第一の駆動部４４および第二の駆動部４６の少なくともいずれか一方が、ステッピングモーターを含むよう構成してもよい。
【００４４】
なお、上記の実施の形態においては、後処理装置４１は、複合機１１に含まれている構成としたが、これに限らず、後処理装置４１単体で、穿孔処理を行うようにしてもよい。この場合、後処理装置４１自身に備えられた制御部による制御により、用紙Ｐに穿孔処理を行うようにしてもよい。
【００４５】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４６】
この発明に係る後処理装置、および画像形成装置は、ユーザーのニーズに応じた穿孔処理が要求される場合に、特に有効に利用される。
【符号の説明】
【００４７】
１１  複合機、１２  制御部、１３  操作部、１４  画像読み取り部、１５  画像形成部、１６  ハードディスク、１７  ファクシミリ通信部、１８  ネットワークインターフェース部、１９  用紙セット部、２１  表示画面、２２  ＡＤＦ、２３ａ，２３ｂ，２３ｃ  給紙カセット、２４  公衆回線、２５  ネットワーク、２６ａ，２６ｂ，２６ｃ  コンピューター、２７  画像形成システム、２８  手差しトレイ、２９  給紙カセット群、３０  排出トレイ、３１  テンキー、３２  スタートキー、３３  電源キー、３４  メニューキー、３５  登録キー、３６  リセットキー、３９  開口穴、４１  後処理装置、４２  穿孔機構、４３  用紙搬送部、４４  第一の駆動部、４５  穿孔部材、４６  第二の駆動部、４７  端部検知センサー、４８  穿孔刃、４９  支持部、５１  受け付け部、５２  駆動モード設定部、５３  調整部、５６，５９  メッセージ、５７ａ，５７ｂ  選択キー。
【図１】
2017019594.tif 000003
【図２】
2017019594.tif 000004
【図３】
2017019594.tif 000005
【図４】
2017019594.tif 000006
【図５】
2017019594.tif 000007
【図６】
2017019594.tif 000008
【図７】
2017019594.tif 000009
【図８】
2017019594.tif 000010